【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
前記遊技領域に設けられ遊技球が進入可能な始動領域と、
前記始動領域への遊技球の進入を契機として、少なくとも、遊技者に有利な特別遊技を実行するか否かの決定に係る特別遊技実行決定乱数を取得する乱数取得手段と、
予め定められた始動条件の成立を契機として、前記取得された特別遊技実行決定乱数に基づいて前記特別遊技を実行するか否かを決定する特別遊技実行可否決定手段と、
前記特別遊技実行可否決定手段による決定の結果を報知する変動演出の態様を決定する変動演出態様決定手段と、
前記変動演出態様決定手段により決定された変動演出の態様に基づいて、前記変動演出を実行する変動演出実行手段と、
前記取得された特別遊技実行決定乱数を対象として実行可能な演出であって、当該対象の特別遊技実行決定乱数に係る変動演出の実行以前から所定の示唆を開始可能な先読み演出を実行する先読み演出実行手段と、を備え、
前記変動演出には、
演出用の図柄である演出図柄の変動表示を行った後に当該演出図柄を停止表示させる本変動を実行する第１の態様と、所定の態様で行われる特殊演出及び前記本変動を実行する第２の態様と、が設けられ、
前記第２の態様における特殊演出には、
前記本変動と同様の態様で前記演出図柄の変動表示及び停止表示が行われる擬似変動態様と、前記擬似変動態様と異なる態様で特定の示唆が行われる特定示唆態様と、が設けられ、
前記先読み演出実行手段は、
前記擬似変動態様による前記特殊演出が実行される前記第２の態様によって、前記対象の特別遊技実行決定乱数に係る変動演出が実行される場合には、当該対象の特別遊技実行決定乱数よりも前に取得された特別遊技実行決定乱数に係る変動演出における前記演出図柄の変動表示、及び、当該対象の特別遊技実行決定乱数に係る前記擬似変動態様に基づく前記演出図柄の変動表示に跨って、前記先読み演出を実行可能であることを特徴とする遊技機。
【請求項２】
前記先読み演出実行手段は、
前記対象の特別遊技実行決定乱数よりも前に取得された特別遊技実行決定乱数のうち、予め定められた開始禁止条件を満たし最も遅く取得された特別遊技実行決定乱数よりも後に取得され、かつ前記開始禁止条件を満たさない特別遊技実行決定乱数に係る変動演出における所定のタイミングから、前記先読み演出を開始可能であることを特徴とする請求項１記載の遊技機。
【請求項３】
前記変動演出態様決定手段は、
前記対象の特別遊技実行決定乱数に係る変動演出の態様として前記第２の態様が決定された場合に、当該第２の態様における前記特殊演出の態様として、前記擬似変動態様又は前記特定示唆態様を決定可能であり、
前記擬似変動態様又は前記特定示唆態様の決定割合は、前記先読み演出を開始可能な変動演出に係る特別遊技実行決定乱数から前記先読み演出の対象の特別遊技実行決定乱数に至るまでの特別遊技実行決定乱数の個数に基づいて定められていることを特徴とする請求項２記載の遊技機。
【手続補正２】
【補正対象書類名】明細書
【補正対象項目名】０００７
【補正方法】変更
【補正の内容】
【０００７】
（１）本発明に係る遊技機（パチンコ機Ｐ）は、遊技球が流下可能な遊技領域１２と、前記遊技領域１２に設けられ遊技球が進入可能な始動領域（第１始動入賞口１５）と、前記始動領域への遊技球の進入を契機として、少なくとも、遊技者に有利な特別遊技を実行するか否かの決定に係る特別遊技実行決定乱数（大当たり決定乱数）を取得する乱数取得手段（メインＣＰＵ１０１）と、予め定められた始動条件の成立を契機として、前記取得された特別遊技実行決定乱数に基づいて前記特別遊技を実行するか否かを決定する特別遊技実行可否決定手段（メインＣＰＵ１０１）と、前記特別遊技実行可否決定手段による決定の結果を報知する変動演出の態様を決定する変動演出態様決定手段（サブＣＰＵ３０１）と、前記変動演出態様決定手段により決定された変動演出の態様に基づいて、前記変動演出を実行する変動演出実行手段（サブＣＰＵ３０１、演出表示装置２１）と、前記取得された特別遊技実行決定乱数を対象として実行可能な演出であって、当該対象の特別遊技実行決定乱数に係る変動演出の実行以前から所定の示唆を開始可能な先読み演出（特殊背景表示演出）を実行する先読み演出実行手段（サブＣＰＵ３０１、演出表示装置２１）と、を備え、前記変動演出には、演出用の図柄である演出図柄５０の変動表示を行った後に当該演出図柄５０を停止表示させる本変動を実行する第１の態様（通常パターン）と、所定の態様で行われる特殊演出及び前記本変動を実行する第２の態様（特殊パターン）と、が設けられ、前記第２の態様における特殊演出には、前記本変動と同様の態様で前記演出図柄５０の変動表示及び停止表示が行われる擬似変動態様（擬似変動演出）と、前記擬似変動態様と異なる態様で特定の示唆が行われる特定示唆態様（ブラックアウト演出）と、が設けられ、前記先読み演出実行手段は、前記擬似変動態様による前記特殊演出が実行される前記第２の態様によって、前記対象の特別遊技実行決定乱数に係る変動演出が実行される場合には、当該対象の特別遊技実行決定乱数よりも前に取得された特別遊技実行決定乱数に係る変動演出における前記演出図柄の変動表示、及び、当該対象の特別遊技実行決定乱数に係る前記擬似変動態様に基づく前記演出図柄５０の変動表示に跨って、前記先読み演出を実行可能であることを特徴とする。
ここで、予め定められた始動条件としては、変動演出が実行されておらず、かつ取得されたものの特別遊技の実行の可否が決定されていない特別遊技実行決定乱数がないときに始動領域へ遊技球が進入したこと、実行中の変動演出が終了した際に、取得されたものの特別遊技の実行の可否が決定されていない特別遊技実行決定乱数があったこと等を定めることができる。
【手続補正３】
【補正対象書類名】明細書
【補正対象項目名】０００８
【補正方法】変更
【補正の内容】
【０００８】
本発明に係る遊技機においては、取得された特別遊技実行決定乱数を対象として実行可能な演出であって、当該対象の特別遊技実行決定乱数に係る変動演出の実行以前から所定の示唆を開始可能な先読み演出を実行可能である。また、変動演出の態様として、所定の態様で行われる特殊演出及び本変動（演出図柄５０の変動表示を行った後に当該演出図柄５０を停止表示させる）を実行する態様が設けられている。また、特殊演出の態様として、本変動と同様の態様で演出図柄５０の変動表示及び停止表示が行われる擬似変動態様が設けられている。そして、先読み演出の実行対象の特別遊技実行決定乱数について、擬似変動態様による特殊演出が実行される態様で変動演出が実行される場合には、先読み演出の実行対象の特別遊技実行決定乱数よりも前に取得された特別遊技実行決定乱数に係る変動演出、及び、先読み演出の実行対象の特別遊技実行決定乱数に係る擬似変動態様に基づく演出図柄５０の変動表示に跨って、先読み演出を実行可能となっている。
すなわち、本発明に係る遊技機によれば、先読み演出の実行対象の特別遊技実行決定乱数について、本変動と同様の態様の演出図柄５０の変動表示が行われるため、見た目上、演出図柄５０の変動表示が行われる回数が増加することとなる。したがって、取得されたものの特別遊技の実行の可否が決定されていない特別遊技実行決定乱数に基づいて実行される実際の演出図柄５０の変動表示の回数（変動演出の回数）よりも多い回数の演出図柄５０の変動表示（変動演出）に跨って先読み演出が実行されるように見せることができ、より長い期間に亘る先読み演出の実行を実現できることとなるため、先読み演出による演出効果を向上させることができるのである。
【手続補正４】
【補正対象書類名】明細書
【補正対象項目名】０００９
【補正方法】変更
【補正の内容】
【０００９】
（２）また、前記遊技機は、前記先読み演出実行手段が、前記対象の特別遊技実行決定乱数よりも前に取得された特別遊技実行決定乱数のうち、予め定められた開始禁止条件を満たし最も遅く取得された特別遊技実行決定乱数よりも後に取得され、かつ前記開始禁止条件を満たさない特別遊技実行決定乱数に係る変動演出における所定のタイミングから、前記先読み演出を開始可能であるように設定してもよい。
ここで、開始禁止条件としては、大当たりの当選の期待度の高い変動演出が実行される保留であること、先読み演出実行中に行われる変動演出に係る特別遊技実行決定乱数であること、先読み演出の実行の対象であった特別遊技実行決定乱数の次に取得されていた特別遊技実行決定乱数であること、遊技状態が切り替わった時点で取得されていた特別遊技実行決定乱数であること、大当たりの当選に係る特別遊技実行決定乱数であること等を定めることができる。
（３）また、前記遊技機は、前記変動演出態様決定手段が、前記対象の特別遊技実行決定乱数に係る変動演出の態様として前記第２の態様が決定された場合に、当該第２の態様における前記特殊演出の態様として、前記擬似変動態様又は前記特定示唆態様を決定可能であり、前記擬似変動態様又は前記特定示唆態様の決定割合は、前記先読み演出を開始可能な変動演出に係る特別遊技実行決定乱数から前記先読み演出の対象の特別遊技実行決定乱数に至るまでの特別遊技実行決定乱数の個数（連続実行可能保留数）に基づいて定められているようにしてもよい。